(57)【特許請求の範囲】
【請求項１】
複数の突磁極（１０）を備える多極同期電気機械用突磁極付き回転子であって、
各突磁極（１０）は、磁極体（１）および複数の磁極先端部（２）を有し、前記磁極体（１）が複数のコイル巻線層（１１）を有する誘導コイル（３）に囲まれており、
前記磁極体（１）は、内周側のリング(４)と一体化しているとともに、隣接する磁極体（１）の間の前記リング（４）の外周には冷却媒体循環用の空間（１８）を備え、
前記コイル巻線層（１１）には複数のスペーサ（１４、１５ａ、１５ｂ）が挿入され、各スペーサは、前記コイル巻線層（１１）の間に冷却媒体を循環させるために、各コイル巻線層（１１）の間に第１の間隔（２３）を設けるとともに、前記磁極体（１）と前記コイル巻線層（１１）との間に、前記第１の間隔（２３）と連通して前記冷却媒体を循環させるための第２の間隔（２７）を設けてなり、
前記誘導コイル（３）は隣り合う前記磁極体間に前記空間（１８）を覆うように設置された支持シート（１６）によって半径方向に保持されており、前記支持シート（１６）は前記複数のコイル巻線（１１）に一定の圧力を加える手段（１７）と共同して、一端を前記磁極先端部（２）によって、他端を前記支持シート（１６）によって支持して前記複数のコイル巻線（１１）を半径方向に保持しており、
さらに、前記空間（１８）に軸方向の空気冷却媒体の流れを生成するファンを備える一方、前記支持シート(１６)には、空気冷却媒体の流れを前記空間（１８）から前記第２の間隔(２７)へ向けて循環させる少なくとも１つのダクトを備え、
前記空間（１８）から前記第２の間隔(２７)を経て前記第１の間隔（２３）へ向けて空気冷却媒体の流れが循環するように構成されていることを特徴とする、多極同期電気機械用突磁極付き回転子。
【請求項２】
前記複数の突磁極（１０）の各突磁極（１０）は、前記磁極体（１）の両側で対向する前記複数の着脱可能な磁極先端部（２）を備えることを特徴とする、請求項１に記載の多極同期電気機械用突磁極付き回転子。
【請求項３】
前記複数の磁極先端部（２）の各磁極先端部（２）は、前記磁極体（１）の両側に配置された２つのスロット（６ａ）に押し込まれており、前記スロット（６ａ）の形状は、前記磁極先端部（２）の形状に適合されていることを特徴とする、請求項２に記載の多極同期電気機械用突磁極付き回転子。
【請求項４】
前記２つのスロット（６ａ）は、前記磁極体（１）に沿って連続的に作られていることを特徴とする、請求項３に記載の多極同期電気機械用突磁極付き回転子。
【請求項５】
前記コイル巻線層（１１）は、平角導線（１２）で形成されていることを特徴とする、請求項１から４のいずれか一項に記載の多極同期電気機械用突磁極付き回転子。
【請求項６】
前記第２の間隔（２７）は、前記複数のスペーサ（１４、１５ａ、１５ｂ）の各スペーサによって形成されていることを特徴とする、請求項１から５のいずれか一項に記載の多極同期電気機械用突磁極付き回転子。
【請求項７】
請求項１から６のいずれか一項に記載の多極同期電気機械用突磁極付き回転子の冷却方法であって、
前記第２の間隔（２７）を通して冷却媒体を循環させることにより、前記複数のコイル巻線層（１１）を冷却するステップと、
前記第１の間隔（２３）を通して冷却媒体を循環させることにより、前記複数の層の各コイル巻線層（１１）を冷却するステップと、
前記支持シート（１６）の前記ダクトにより、前記空間（１８）と前記第２の間隔（２７）との間に冷却媒体を循環させるステップと、
を含むことを特徴とする、多極同期電気機械用突磁極付き回転子の冷却方法。
【発明の詳細な説明】
【技術分野】
【０００１】
本発明は、固定子アセンブリおよび回転子アセンブリを含み、回転子アセンブリは、固定子アセンブリと連係して回転軸のまわりを回転する、回転同期電気機械の分野に関する。
【０００２】
より詳細には、本発明は、多極同期電気機械用突磁極付き回転子に関する。
【背景技術】
【０００３】
一般に、突磁極付き回転子は、磁路リングの周辺部に位置する界磁極を有する。
【０００４】
これらの回転子は、一般に、最大１０００ｒｐｍ（積層磁極の場合）または１５００ｒｐｍ（固形物磁極の場合）の低速用途で利用される。
【０００５】
既知の形式では、同期電気機械用突磁極付き回転子は、以下のものを含む。
−  中心部。磁路リングおよび中心シャフトによって形成されている。小径回転子の場合、中心シャフトおよび磁路リングのみで単一部品が形成される。
−  突磁極または磁極。磁極体と呼ばれる中心部と、磁極シューと呼ばれる周辺部とによって形成されている。各磁極の中心部を、一定の誘導が生じる。一方、磁極の表面の磁極シューでは、回転の結果として、固定子のスロットの前で誘導が脈動する。
−  誘導コイル。各磁極体を囲み、コイル巻線の積層によって形成されている。
【０００６】
同期機械は、出力シャフトの回転速度が、磁界の回転速度と等しい電気機械である。突磁極付き回転機械の磁化は、磁極体を囲む誘導コイルで形成されたインダクタによって得られる。
【０００７】
誘導コイルは、様々な方法で磁極体のまわりに配置されている。
【０００８】
突磁極付き多極回転子の第１の既知の実施形態によれば、磁極体および磁極シューを含む各磁極が、プラグ、ダブテール、ねじなどの手段により、リムまたはシャフトに付加される。この実施形態では、コイルが磁極体上に配置されてから、磁極体がリムまたはシャフトにマウントされる。
【０００９】
第２の既知の実施形態によれば、突磁極付き同期回転子は、リムまたはシャフトと一体化している磁極体を利用することからなる。この磁極体には、固形物磁極シューだけが付加され、いくつかのねじで固定される。磁極体のまわりに誘導コイルが配置されてから、磁極シューの組み立てが行われる。
【００１０】
誘導コイルは、通電されると熱を帯びる。
【００１１】
誘電コイルに含まれる絶縁材は、熱劣化に弱い。したがって、同期回転子は冷却が必須である。より厳密に言えば、コイルの寿命を延ばすためには誘導コイルを冷却することが必須である。
【００１２】
突磁極付き回転子の回転中に誘導コイルを冷却するためには、周囲空気に対する、誘導コイルの熱交換面が可能な限り大きいことが望ましい。
【００１３】
最も良く知られている突磁極付き回転子では、誘導コイルは、回転子の回転時に周辺部
の表面によって自然冷却される。このタイプの冷却は、一般に、有効性が低い。
【００１４】
また、既知の突磁極付き回転子に含まれる特殊な誘導コイル配置によれば、空気が誘導コイルの特定層間を循環して、誘導コイルの冷却性を向上させることが可能である。この層間循環は、誘導コイルの複数の層からなる銅の平坦部分を変形させて作られたプレス断面により可能である。
【００１５】
しかしながら、誘導コイルの銅を変形させることは、実施するには、面倒で、時間がかかり、コストがかかる作業であって、専用の製造工程を必要とする。一方、層間間隔を作るプレス断面の深さは、銅の平坦部分を変形させて誘導コイルを製造する形式によって制限される。これは、銅の平坦部分の変形が制御しにくいためである。
【００１６】
さらに、層間間隔の構成は、ほこりおよび空気湿度の汚染または冷却媒体の汚染に対して非常に敏感であり、電気回路に対するそれらの影響に対して非常に敏感である。
【発明の概要】
【発明が解決しようとする課題】
【００１７】
以上を鑑みて、本発明は、簡単、経済的、短時間であって、汚染耐性のある、回転子の製造および組み立てを可能としながら、誘導コイル冷却が最適化された、多極同期電気機械用突磁極付き回転子を提供することを目的とする。
【課題を解決するための手段】
【００１８】
この目的のために、本発明は、複数の突磁極を含む多極同期電気機械用突磁極付き回転子を提案し、各突磁極は、磁極体が複数のコイル巻線層を有する誘導コイルに囲まれており、前記磁極体は、内周側のリングと一体化しているとともに、隣接する磁極体の間の前記リングの外周には冷却媒体循環用の空間を備え、前記コイル巻線層には複数のスペーサが挿入され、各スペーサは、前記コイル巻線層の間に冷却媒体を循環させるために、各コイル巻線層の間に第１の間隔を設けるとともに、前記磁極体と前記コイル巻線層との間に、前記第１の間隔と連通して前記冷却媒体を循環させるための第２の間隔を設けてなり、前記誘導コイルは、隣り合う前記磁極体間に前記空間を覆うように設置された支持シートによって半径方向に保持されており、さらに、前記空間に軸方向の空気冷却媒体の流れを生成するファンを備える一方、前記支持シートには、空気冷却媒体の流れを前記空間から前記第２の間隔へ向けて循環させる少なくとも１つのダクトを備え、前記空間から前記第２の間隔を経て前記第１の間隔へ向けて空気冷却媒体の流れが循環するように構成されていること、を特徴とする。
【００１９】
本発明により、磁極体への組み付けの簡単さを保証しながら、誘導コイルの効果的な冷却を可能にする誘導コイルを容易に製造することが可能になる。スペーサによって間隔をおいて配置されたコイル巻線層によるコイルの設計により、回転子の回転時に誘導コイルが確実に半径方向に保持されながら、誘導コイルの各層間を冷却媒体が循環することが保証される。
【００２０】
本発明による多極同期電気機械用突磁極付き回転子はさらに、以下の特徴のうちの１つまたは複数の特徴を示すことが可能であり、これらは個別に検討されるか、技術的に可能なすべての組み合わせに従って検討される。
−  前記複数の突磁極の各突磁極は、前記磁極体の両側で対向する複数の着脱可能な磁極先端部を含む。
−  前記複数の磁極先端部の各磁極先端部は、前記磁極体の両側に配置された２つのスロットに押し込まれており、前記スロットの形状は、前記磁極先端部の形状に適合されている。
−  前記２つスロットは、前記磁極体に沿って連続的に作られている。
−  前記複数の層の各コイル巻線層は、平角導線で形成されている。
−  前記第２の間隔は、前記複数のスペーサの各スペーサによって形成されている。
【００２１】
本発明の別の目的は、上記した多極同期電気機械用突磁極付き回転子の冷却方法であり、この方法は、以下のステップを含むことを特徴とする。
前記第２の間隔を通して冷却媒体を循環させることにより、前記複数のコイル巻線層を冷却するステップ。
前記第１の間隔を通して冷却媒体を循環させることにより、前記複数の層の各コイル巻線層を冷却するステップ。
前記支持シートの前記ダクトにより、前記空間と前記第２の間隔との間に冷却媒体を循環させるステップ。
【００２３】
例示を目的とし、限定を目的としない、以下の説明を、添付図面を参照しながら読むことにより、本発明の他の特徴および利点がより明確になるであろう。
【００２４】
特に明示しない限り、すべての図面において、共通の要素は同じ参照符号を有する。
【図面の簡単な説明】
【００２５】
【図１】第１の実施形態による、同期電気機械の突磁極付き回転子を、回転子の回転軸に垂直な平面で切った部分断面図である。
【図２】図１に示したような突磁極付き回転子の磁極体の上面図である。
【図３】第２の実施形態による、同期電気機械の突磁極付き回転子を、回転子の回転軸に垂直な平面で切った部分断面図である。
【発明を実施するための形態】
【００２６】
図１は、同期機械の突磁極付き回転子１００を、回転子の回転軸に垂直な平面で切った部分断面図である。
【００２７】
図１は、特に、２つの突磁極１０の間に位置する空間２０を示している。各突磁極１０は、誘導コイル３で囲まれた磁極体１を含んでいる。磁極体１は、同期電気機械の磁路の磁石ホイールを構成するリム４（リング）と一体化されている部品である。リム４は、シャフトまたはハブ（図示せず）にホットマウントされた電気鉄板の積層から作られることが好ましい。
【００２８】
別の実施形態によれば、磁極体１は、シャフトと一体化されている一体固形物である。
【００２９】
本発明の有利な形態によれば、リム４は、ほぼ多角形形状である。このリムの多角形形状は、同期機械の回転子の磁極の数によって決まる。
【００３０】
誘導コイル３は、磁極体１を囲む、特定のコイル巻線数の、円形または矩形の断面の銅導体で作られている。第１の実施形態では、誘導コイル３は、らせん状に巻かれた平角線コイル１２（平角導線）の半径方向層１１（コイル巻線層）の形で作られている（すなわち、回転子の中心からの様々な半径に従って配置されている）。各半径方向層１１は、スペーサ１４、１５ａ、および１５ｂによって、半径方向に間隔をおいて配置されている。スペーサ１４、１５ａ、および１５ｂは、絶縁材料、または絶縁材料によって絶縁されることが必要な導電材料で形成されており、導電材料によるスペーサのほうが機械的特性が良好である。
【００３１】
誘導コイル３の巻線の絶縁は、熱硬化性樹脂が予備含浸された絶縁ストリップにより行われる。このコイルは、その後、プレスされ、熱処理を受けて、熱伝導性にすぐれたコンパクトなアセンブリになる。
【００３２】
本発明の別の実施形態によれば、誘導コイル３の作成にガラス繊維被覆線を用いる。この絶縁された線を、何重かの層にして巻く。各巻線層間にワニスまたは樹脂を差し挟むことにより、重合後に最終的な剛性が誘導コイル３に与えられる。
【００３３】
本発明の別の実施形態によれば、誘導コイル３の作成に熱粘着性エナメル線を用いることも可能である。この熱粘着性線は、外層で被覆したエナメル線であり、この外層が、温度の作用で重合されることにより、組み立てられたコイル巻線同士の接着を可能にする。したがって、誘導コイル３を作るときにワニスまたは樹脂を塗布することが不要になる。
【００３４】
磁極先端部２は、ペアで、磁極体１の全体長さにわたって、磁極体１の両側に位置する。図１では、各磁極体１の上に、１ペアの磁極先端部２が示されている。磁極先端部２のペアは、誘導コイル３を、磁極体１の両側の定位置に保持する。この目的のために、磁極体１は、磁極先端部２のフック６ｂの形状に対応するスロット６ａを含み、積層の各薄板のスロット６ａは、磁極体１の全体長さにわたって位置合わせされて、ダクトを形成する。フック６ｂは、磁極先端部２のスロット６ａと嵌合して、磁極体１のスロット６ａ内をスライドすることにより、他の固定手段がなくても配置可能である。この嵌合は、磁極体１の各端部によって実行され、前記磁極体１の長手方向にスライドさせることによって実行される。フック６ｂの形状は、たとえば、ほぼ回転子の中心に向かって方向づけられたフックの形状であって、この形状は、ほぼ三角形の区画である第１の部分７と、これと接する、ほぼ矩形の区画である第２の部分９と、からなり、これら２つの部分７および９は、曲がり要素８でつながっている。
【００３５】
フック６ｂのこの独特の形状により、磁極先端部２の半径方向の保持が可能になり、回転子の回転時に誘導コイル３の遠心力によって引き起こされる応力を支持することが可能になり、特に、半径方向成分によって引き起こされる応力を支持することが可能になる。
【００３６】
スペーサ１４、１５ａ、および１５ｂは、各半径方向層１１間に均等に挿入され、これによって形成される半径方向層１１の層間間隔２３（第１の間隔）が、図に矢印で示されたような、半径方向層１１間の冷却媒体の循環を可能にする。半径方向層１１上では、スペーサ１４、１５ａ、および１５ｂが、半径方向層１１の全体長さにわたって均等に分散している。本発明の有利な形態によれば、各スペーサ１４、１５ａ、および１５ｂは、第２のスペーサによって長手方向に間隔をおいて配置され、その間隔は、ほぼ１０〜１００ミリメートルである。
【００３７】
スペーサ１４は、水平面に関して対称形のプレートであり、数ミリメートル厚のほぼ矩形形状を有する。スペーサ１４は、右側端部に増厚部分２４を含み、左側端部に増厚部分２５を含み、増厚部分２４および２５は、水平対称面の両側で対称形である。したがって、増厚部分２４および２５は、誘導コイル３の２つの半径方向層１１（スペーサ１４の上側部分にある半径方向層１１およびスペーサ１４の下側部分にある半径方向層１１）を包み込み、縁取りすることが可能である。したがって、スペーサ１４は、それらの形状および配置により、図１において矢印で示された、冷却媒体の循環のための層間間隔２３を作ることによって、誘導コイル３の各半径方向層１１が個別に保持されることを可能にする。
【００３８】
スペーサ１４の左側の増厚部分２５は、誘導コイル３を磁極体１の周辺部から離して保持することにも適しており、スペーサ１４の外側の面は、増厚部分２５の高さで磁極体１と接している。このようにして、誘導コイル３と磁極体１の外側面との間に間隔２７（第２の間隔）が形成されており、間隔２７は、増厚部分２５の幅と同等である。したがって、間隔２７は、冷却媒体の循環を保証し、誘導コイル３と磁極体１の周辺面との間の接地絶縁を保証する。
【００３９】
上部スペーサ１５ａおよび下部スペーサ１５ｂ、すなわち、誘導コイル３の最後の半径方向層１１または上部層の上に配置されているスペーサ、ならびに誘導コイル３の最初の半径方向層１１または下部層の下に配置されているスペーサは、既に詳述したスペーサ１４とは若干異なる形状を有する。スペーサ１５ａおよび１５ｂも、数ミリメートル厚のほぼ矩形形状を有するプレートである。スペーサ１５ａおよび１５ｂも、それらの２つの端部に左増厚部分および右増厚部分を含んでいるが、それらの増厚部分は、スペーサの２つの面のうちの一方の面にしかない。スペーサ１５ａ、１５ｂの第２（他方）の面は、ほぼ矩形形状の中央増厚部分２６を含んでおり、中央増厚部分２６は、スペーサ１５ａ、１５ｂのほぼ中央に位置して、スペーサ１５ａ、１５ｂの定位置配置および固定保持を可能にしている。
【００４０】
上部スペーサ１５ａの、増厚部分２６を含む上面は、磁極先端部２が磁極体１上に配置されたときに、スペーサ１５ａが磁極先端部２によって保持および定位置配置されることを可能にしている。同様に、下部スペーサ１５ｂの、中央増厚部分２６を含む下面は、スペーサ１５ｂが支持シート１６によって定位置配置および固定保持されることを可能にしている。
【００４１】
磁極先端部２および支持シート１６は、スペーサ１５ａおよび１５ｂの増厚部分の形状に合わせて材料が切り欠かれており、これらが前記増厚部分と一体結合して、スペーサ１５ａおよび１５ｂが保持される。
【００４２】
支持シート１６は、Ｖ字形に折り曲げられて、突磁極付き回転子１００の空間２０の高さに（すなわち、２つの突磁極１０の間に、より厳密には、２つの磁極体１の間に）配置されたシートである。
【００４３】
回転子１００の空間２０の高さでは、それぞれが磁極体１を囲む２つの誘導コイル３が対向している。支持シート１６は、回転子１００の空間２０の高さで対向している誘導コイル同士の一部を保持する。これを行うために、支持シート１６は、磁極体１の周囲に誘導コイル３が組み付けられて、磁極先端部２が磁極体１に挿入される際に、２つの磁極体１の間に挿入される。図１に示した第１の実施形態では、誘導コイル３を、半径方向に一定の圧力で、磁極先端部２に押し付けて保持するために、支持シート１６の下に固定ブロック１７を用いている。
【００４４】
誘導コイル３の半径方向保持は、上部においては磁極先端部２によって達成され、下部においては支持シート１６によって達成される。誘導コイル３の、下部における半径方向保持は、磁極先端部２への誘導コイル３の押しつけを可能にする他の任意の等価な手段によっても達成可能である。
【００４５】
第２の実施形態によれば、誘導コイル３の、下部における半径方向保持は、図３に示した圧縮バネ一式３１によっても実施可能である。
【００４６】
したがって、スペーサ１４、１５ａ、および１５ｂ、ならびに上部においては磁極先端部２によって、下部においては支持シート１６によって誘導コイル３および各スペーサにかかる保持圧力は、誘導コイル３が定位置に保持されることを可能にし、特に、回転子の回転時に誘導コイル３が遠心力の接線方向成分を補償することを可能にする。
【００４７】
支持シート１６の下に、空間１８が設けられている。この空間１８があると、一方では、誘導コイル３の下に支持シート１６を挿入することを容易にするうえで都合が良く、他
方では、冷却媒体を長手方向に配給して、矢印で示されるように、誘導コイル３の半径方向層１１に通して循環させることを可能にするうえで都合が良い。
【００４８】
図３に示した、本発明の別の実施形態では、誘導コイル３の内側の冷却媒体の循環量が増えるように、リム４に開口部を作って、空間１８を広げることも可能である。また、この空間１８の吸気口にファンを設けて、冷却媒体の循環流を起こしたり、回転子の回転によって起こる自然な循環流を多くしたりすることも可能である。
【００４９】
回転子１００が回転すると、周囲空気または冷却媒体が空間１８に勢いよく入り込み、入り込んだ冷却媒体の流れは、既述のように空間１８の吸気口に付加されたファンによって強められることが可能である。
【００５０】
冷却媒体は、循環を明示的に示す矢印に従って、誘導コイル３内を循環する。
【００５１】
冷却媒体は、まず、空間１８から、支持シート１６内にあるダクトを通って、間隔２７に移動する。その後、冷却媒体は、間隔２７から、スペーサ１４、１５ａ、および１５ｂによって形成された層間間隔２３に向かって循環し、その後、空間２０に抜けて、冷却空気の更新を可能にする。
【００５２】
間隔２７および２３を循環する冷却媒体は、誘導コイル３の各半径方向層１１との間で熱交換を行うことにより、有利なコイル冷却を可能にする。
【００５３】
また、２つの突磁極の間の空間２０をブロックして移動空気の循環を空間１８に閉じ込めることにより、半径方向層１１を通る冷却媒体の循環流を増やして誘導コイル３の冷却性を向上させることも可能である。
【００５４】
図２は、図１を参照して説明した、本発明による、同期電気機械の突磁極付き回転子１００の磁極体１の上面図である。
【００５５】
図２は、特に、磁極体１上に配置されて、磁極の誘導コイル３を半径方向にブロックする、一連の磁極先端部２を示している。
【００５６】
磁極体１の各端部に位置するフランジ５（フランジ５は１個だけ図示されている）が、ねじ式固定システムにより、リム４と一体化されて保持されている。フランジ５は、機械加工、鍛造、または鋳造された鋼材でできた固形物部品であり、磁極先端部２が磁極体１上に配置された後に磁極先端部２が定位置に保持されることを可能にする。したがって、フランジ５は、磁極先端部２が長手方向に動かないようにする。実際、フランジ５は、磁極体１の端部において、フック６ｂに対応する磁極体１のスロット６ａをふさいでおり、これによって、磁極先端部２は、外れたり、磁極体１の長手方向に移動したりする可能性がなくなる。フランジ５はさらに、誘導コイル３の前部が半径方向に保持されることを可能にし、誘導コイル３アセンブリが軸方向に配置されることを可能にする。
【００５７】
先行技術による磁極シューの代わりに、磁極先端部２およびフランジ５を組み合わせて用いることにより、被覆されていない２つの部分２１および２２が誘導コイル３の各端部に配置されることが可能になる。これらの部分２１および２２は、周囲空気または他の任意の冷却媒体との接触面を増やすことにより、誘導コイル３の冷却性を向上させる。
【００５８】
図３に示した装置は、図１および図２に示した装置と同じ要素および同じ参照符号を含んでいるが、異なるのは、圧縮バネ一式３１によって誘導コイル３を半径方向に保持する手段である。
【００５９】
さらに、図３は、リム４内に開口部を設けて誘導コイル３の内側の冷却媒体の循環量を増やすことを可能にしている、空間１８の第２の実施形態を示している。
【００６０】
図示した同期機械用突磁極付き回転子のマウントは、限られた数の工具を用いて短時間で簡単に行われる。
【００６１】
第１のステップでは、誘導コイル３を、半径方向層１１ごとに別々に作り、これらにスペーサ１４、１５ａ、および１５ｂを組み付ける。第２の実施形態によれば、誘導コイル３は、各層における連続的なコイル巻きによって作ることが可能であり、コイル巻きは、誘導コイルの外側の層から始まって、各層を順番に経て誘導コイル３の内側の層まで戻り、そこからまた、外側の層に戻る。この操作を、コイルを完全に巻き終わるまで繰り返す。したがって、この実施形態により、ろう付け結合の数を減らすことが可能である。
【００６２】
第２のステップでは、完成して重合された誘導コイル３を、磁極体１のまわりの、回転子の中心により近い位置に挿入する。これにより、磁極体１のスロット６ａを完全に空けることが可能になる。
【００６３】
磁極先端部２は、スロット６ａによって磁極体１上をスライドさせることによって通される。
【００６４】
次に、フランジ５を、リム４上または磁極体１上を通して、ねじで固定する。このようにして、磁極先端部２は、長手方向にブロックされる。
【００６５】
次に、誘導コイル３を磁極先端部２に押し付けて、誘導コイルの下の空間１８を空けるようにする。これは、支持シート１６を、磁極体１の長手方向にスライドさせて挿入するためである。次に、支持シート１６を誘導コイル３に押し付けて保持する。これには、固定ブロック１７（力ずくでマウントする）、圧縮バネ一式３１、または他の任意の等価な手段を用いる。
【００６６】
固定ブロック１７または圧縮バネ一式３１は、一定の接触圧力をコイルにかけ、コイルは、外側部分においては磁極先端部２によって保持され、内側部分においては支持シート１６によって保持される。このようにして、誘導コイル３は、回転子の停止時および回転時に、半径方向に保持される。
【００６７】
磁極先端部２およびフランジ５を磁極体１上にマウントするための上述の作業はすべて、特殊な工具を必要とせず、簡単に行われる。
【００６８】
このように、本発明の目的は、効果的な誘導コイル冷却によりコイル寿命を大幅に延ばすことを可能にする同期電気機械用突磁極付き多極回転子を構成することである。さらに、磁極先端部の独創的な形状と、スペーサの利用とを組み合わせることにより、回転子の回転が大幅に減速する際にコーナーウェッジを用いて誘導コイルを接線方向保持することが可能になり、したがって、冷却媒体（空気など）と接触するコイルの面を増やすことにより、コイルの冷却性を向上させることが可能になる。
【００６９】
最後に、本発明による突磁極付き回転子は、特殊な工具を用いることなく短時間で簡単に組み立てを行うことを可能にする。磁極先端部の独創的な形状は、短時間で簡単に組み立てを行うことを可能にし、回転子の停止時および回転時に誘導コイルが保持されることを可能にする。
【００７０】
さらに、誘導コイルの清掃、修理、または交換が必要な場合の分解作業が、特殊な工具に頼らず、大幅に容易になり、短時間になる。
【００７１】
基本的には、積層磁極体および積層リムを含む同期電気機械用突磁極付き多極回転子について説明してきたが、本発明は、固形物磁極体を含む同期電気機械用突磁極付き多極回転子にも適用可能である。基本的には、回転子のリムと一体化した磁極体を含む突磁極付き多極回転子について説明してきたが、本発明は、プラグ、ダブテール、ねじなどの手段により、リムまたはシャフトに付加された磁極体を含む突磁極付き多極回転子にも適用可能である。
【００７２】
本発明の他の利点は、具体的には、以下のとおりである。
−  コーナーウェッジの利用を抑えたことにより、多極回転子の冷却性が向上
−  量産性が向上
−  コイル寿命が大幅に向上
−  誘導コイルの接地絶縁が不要
−  保守、改造、修理などの作業時の誘導コイルの分解が容易
−  誘導コイルの汚染の電気的影響がない
【図１】
0005775816.tif 000002
【図２】
0005775816.tif 000003
【図３】
0005775816.tif 000004